(57)【要約】【課題】複数のランプを備えた光源装置において、光量の損失を抑えながら光を集光させる。【解決手段】ランプ２２Ａ、反射鏡２４Ａから構成されるランプユニット２０Ａと、ランプ２２Ｂ、反射鏡２４Ｂから構成されるランプユニット２０Ｂを備えた光源装置２０において、反射鏡２４Ａ、２４Ｂは、中心軸Ｃ１、Ｃ２に垂直な面Ｖ１、Ｖ２に対して傾斜し、側面側開口部２９Ａ，２９Ｂの互いに平行な開口面３１Ａ、３１Ｂを形成する側面側開口部２９Ａ，２９Ｂで向かい合って平行に配置されている。【選択図】図３
2019109431.tif 000002
【特許請求の範囲】
【請求項１】
ランプと凹型反射鏡とによって構成されるランプユニットを複数備え、各ランプユニットから放射される光を集光する光源装置において、
少なくとも一つの前記凹型反射鏡の開口部の開口面が、前記凹型反射鏡の中心軸に垂直な面に対して傾斜していることを特徴とする光源装置。
【請求項２】
隣り合う凹型反射鏡において、開口部の開口面が同一平面上にあることを特徴とする請求項１に記載の光源装置。
【請求項３】
前記凹型反射鏡において、側面側開口面が設けられ、
前記側面側開口面が隣り合う凹型反射鏡の側面側開口面と平行となるように、前記凹型反射鏡が設置されることを特徴とする請求項１または２に記載の光源装置。
【請求項４】
前記側面側開口面が、前記開口面に対して垂直であることを特徴とする請求項３に記載の光源装置。
【請求項５】
前記凹型反射鏡において、互いに平行ではない少なくとも２つの側面側開口面が形成されていることを特徴とする請求項３または４に記載の光源装置。
【請求項６】
前記凹型反射鏡において、少なくとも直交する２つの側面側開口面が形成されていることを特徴とする請求項３または５に記載の光源装置。
【請求項７】
前記開口部の開口面が、反射鏡中心軸に垂直な面に対し、１．０〜９．０°の範囲で傾斜していることを特徴とする請求項１乃至６のいずれかに記載の光源装置。
【請求項８】
前記凹型反射鏡が、楕円反射鏡で構成され、
前記ランプの輝点が、前記楕円反射鏡の焦点付近に位置することを特徴とする請求項１乃至７のいずれかに記載の光源装置。
【請求項９】
請求項１乃至８のいずれかに記載の光源装置を備えたことを特徴とする露光装置。
【請求項１０】
開口部の開口面が中心軸に垂直な面に対して傾斜している凹型反射鏡と、ランプとによってそれぞれ構成される複数のランプユニットを、各ランプユニットから放射される光が集光するように組み合わせることを特徴とする光源装置の組み立て方法。
【発明の詳細な説明】
【技術分野】
【０００１】
本発明は、露光装置等に使用される光源装置に関し、特に、複数のランプを装備した光源装置に関する。
【背景技術】
【０００２】
露光装置では、放電ランプから放射された光が、楕円鏡などの反射鏡によって集光され、照明光学系へ導かれる。照明光学系には、インテグレータレンズ（例えばフライアイレンズ）が設けられ、インテグレータレンズによって照度分布が均一化される。
【０００３】
インテグレータレンズ（例えばフライアイレンズ）は微小レンズを縦横方向に２次元配列させたレンズユニットであるため、ランプ、反射鏡の大型化は、照度低下、解像度低下などを招く。そこで、ランプと反射鏡とをそれぞれ装備したランプユニットを複数有し、各ランプユニットから放射される光が集光するようにランプユニットを配置した光源装置が知られている（特許文献１参照）。
【０００４】
そこでは、２つの凹面反射鏡（楕円反射鏡）の一部を切断して互いに平行な切断面を形成し、切断面を当接させた状態で反射鏡を固定配置する。反射鏡の中心軸が交差するように切断面が形成されることにより、照度低下を抑えながら、２つのランプから放射される光が集光される。
【先行技術文献】
【特許文献】
【０００５】
【特許文献１】特開２００４−２４５９１２号公報
【発明の概要】
【発明が解決しようとする課題】
【０００６】
凹面反射鏡（楕円反射鏡など）では、その中心軸上の第１焦点付近にランプ中心を配置することから、反射鏡の開口面は、均等に光を集光できるように、反射鏡中心軸に対し垂直な面を形成する。そのため、２つの反射鏡から放射される光が集光されるように２つの反射鏡を配置すると、各反射鏡の開口部は、光源装置から放射された光の軸方向（光源装置中央側方向）に対して傾斜し、複数の反射鏡（反射鏡アッセンブリー）全体から観ると、開口面は同一平面上に形成されない。
【０００７】
ランプから放射状に放出された光は、反射鏡で反射されることによってランプユニットから一定方向に放射される。しかしながら、各反射鏡では、周縁部から切断面付近に向けて開口面が下がっているため、光源装置中央側付近の反射面は、周縁部付近と比べて光放出側へ十分延出せず、反射面領域が十分設けられていない。そのため、ランプから光源装置中央側付近に向けて放出された光は反射面に当たることなく進行し、迷光となって光量ロスが生じてしまう。
【０００８】
したがって、複数のランプユニットから成る光源装置において、光量ロスを抑えるようにランプユニットを組み合わせて装備することが求められる。
【課題を解決するための手段】
【０００９】
本発明の光源装置は、露光装置などに適用可能であり、ランプと凹型反射鏡とによって構成されるランプユニットを複数備え、各ランプユニットから放射される光を集光する光源装置として構成される。そして、少なくとも一つの凹型反射鏡の開口部の開口面が、凹型反射鏡の中心軸に垂直な面に対して傾斜している。
【００１０】
例えば、回転楕円面もしくは回転放物面を有する凹型反射鏡で構成することが可能であり、ランプの輝点が楕円反射鏡の焦点付近に位置するように、ランプユニットを構成することが可能である。
【００１１】
凹型反射鏡の配置構成については様々な配置が可能であり、隣り合う凹型反射鏡が、互いの反射光が集光するように向かい合っている構成にすることができる。例えば、隣り合う凹型反射鏡において、開口部の開口面が同一平面上にあるようにランプユニットを配置構成することができる。開口部の開口面の傾斜角度としては、反射鏡中心軸に垂直な面に対し、１．０〜９．０°の範囲で傾斜するようにすればよい。
【００１２】
凹型反射鏡に対し、側面側開口面を設けることが可能である。例えば、側面側開口面が、隣り合う凹型反射鏡の側面側開口面と平行となるように、凹型反射鏡を設置することができる。
【００１３】
側面側開口面の形成に関しては、開口面に対して垂直である側面側開口面を形成することが可能である。凹型反射鏡に少なくとも２つの側面側開口面を形成した場合、２つの側面側開口面は互いに平行ではない構成にしてもよい。例えば、凹型反射鏡において、少なくとも直交する２つの側面側開口面を形成することができる。
【００１４】
本発明の他の態様による光源装置の組み立て方法は、開口部の開口面が中心軸に垂直な面に対して傾斜している凹型反射鏡とランプとによってそれぞれ構成される複数のランプユニットを、各ランプユニットから放射される光が集光するように組み合わせる。
【発明の効果】
【００１５】
本発明によれば、複数のランプを備えた光源装置において、光量の損失を抑えながら光を集光させることができる。
【図面の簡単な説明】
【００１６】
【図１】第１の実施形態である露光装置のブロック図である。
【図２】光源装置を上方から見た平面図である。
【図３】図２のラインＩＩＩ−ＩＩＩに沿った光源装置の断面図である。
【図４】図４は、側面側開口部を形成する前の反射鏡の断面図である。
【図５】側面側開口部を形成した後の反射鏡の斜視図である。
【図６】第２の実施形態である光源装置における反射鏡アッセンブリーの概略的平面図である。
【図７】第３の実施形態である光源装置における反射鏡アッセンブリーの概略的平面図である。
【図８】第４の実施形態である反射鏡アッセンブリーの断面図である。
【発明を実施するための形態】
【００１７】
以下では、図面を参照して本発明の実施形態について説明する。
【００１８】
図１は、第１の実施形態である露光装置のブロック図である。
【００１９】
露光装置１０は、フォトマスク１４を用いてパターン光を基板Ｗに投影し、ここではコンタクト露光装置として構成されている。露光装置１０は、複数の放電ランプ（ここでは図示せず）から構成される光源装置２０と、基板Ｗにパターン光をそれぞれ投影する露光ヘッド１１を備えている。
【００２０】
光源装置２０の放電ランプは、ここでは高圧もしくは超高圧水銀ランプであり、例えば、０．２ｍｇ／ｍｍ３以上の水銀が含まれている。放電ランプは、光源駆動部１９によって点灯される。露光ヘッド１１は、照度を均一化するインテグレータレンズを含む照明光学系１２と、フォトマスク１４を備える。
【００２１】
光源装置２０から放射された光は、照明光学系１２を通り、フォトマスク１４に入射する。フォトマスク１４を通った光は、露光ステージ１８に搭載された基板Ｗに投影される。これによって、基板Ｗに所定のパターンが形成される。なお、露光装置１０を、マスクレス露光装置、投影露光装置などで構成することも可能である。
【００２２】
図２は、光源装置を光放出側（反射鏡開口側）から見た平面図である。図３は、図２のラインＩＩＩ−ＩＩＩに沿った光源装置の断面図である。ただし、図２では、放電ランプを図示しておらず、反射鏡の開口部付近の構成のみ図示している。
【００２３】
光源装置２０は、２つのランプユニット２０Ａ、２０Ｂから構成されている。ランプユニット２０Ａ、２０Ｂは、それぞれ放電ランプ２２Ａ、２２Ｂと反射鏡２４Ａ、２４Ｂを備え、放電ランプ２２Ａ、２２Ｂから放射された光は反射鏡２４Ａ、２４Ｂによって反射されてランプユニット２０Ａ、２０Ｂから一定方向に放射される。ランプユニット２０Ａと２０Ｂは、ランプユニット２０Ａと２０Ｂから放射された光が集光されるように光源装置２０に配置され、光源装置２０から放射された光は照明光学系１２のインテグレータレンズに入射する。放電ランプ２２Ａは、放電管２３Ａの両側に封止管２４Ａ１、２４Ａ２が一体的に形成されたランプ構造であり、放電ランプ２２Ｂも、放電管２３Ｂの両側に封止管２４Ｂ１、２４Ｂ１が一体的に形成されている。
【００２４】
反射鏡２４Ａは、放電ランプ２２Ａから放射された光を反射して集光する凹型反射鏡であり、ここでは楕円反射鏡として構成されている。反射鏡２４Ａは、椀状の凹部２５Ａを備え、回転楕円面である凹部２５Ａの内周面２５Ｓ１に反射面（ミラー）が形成されている。放電ランプ２２Ａの輝点（一対の電極の中間点）は、反射鏡２４Ａの第１焦点付近に位置し、封止管２４Ａ１は凹部２５Ａの開口された底部２５ＤＡまで延びている。放電ランプ２２の中心軸は、反射鏡２４Ａの中心軸Ｃ１と一致する。反射鏡２４Ｂは、反射鏡２４Ａと同一形状の楕円反射鏡として構成され、凹部２５Ｂを備える。反射鏡２４Ａ、２４Ｂは、反射鏡アッセンブリー２４を構成する。
【００２５】
反射鏡２４Ａ、２４Ｂには、光を放出する開口部２７Ａ、２７Ｂが形成されるとともに、側面側開口部２９Ａ、２９Ｂが形成されている。反射鏡２４Ａ、２４Ｂは、側面側開口部２９Ａ、２９Ｂが互いに接触または近接した状態で固定配置されている。近接した状態（反射鏡２４Ａと２４Ｂとの間に微小な隙間を有し、反射鏡２４Ａと２４Ｂとが接触しないで平行に配置された状態）とすることで、ランプ点灯による熱膨張によって反射鏡２４Ａ、２４Ｂが破損することが防止できる。図２から図８では、反射鏡が接触した状態も場合を表しているが、反射鏡が近接した状態である場合も同様である。反射鏡２４Ａ,２４Ｂの固定配置は、従来公知の方法に従う。
【００２６】
反射鏡２４Ａ、２４Ｂの開口部２７Ａ、２７Ｂは、その開口面２８Ａ，２８Ｂが同一平面上に位置する。ここで、開口面２８Ａは、凹部２５Ａの開口部側端面２５Ｔ１に沿った平面を表し、開口面２８Ｂは、凹部２５Ｂの開口部側端面２５Ｔ２に沿った平面を表す。開口面２８Ａ、２８Ｂは、それぞれ、反射鏡中心軸Ｃ１、Ｃ２に垂直な平面（図３の符号Ｖ１、Ｖ２参照）に対して傾斜している。
【００２７】
反射鏡２４Ａ、２４Ｂの側面側開口部２９Ａ、２９Ｂには、側面側開口面３１Ａ、３１Ｂが側面側端面２５Ｔ３、２５Ｔ４によって規定される。側面側開口面３１Ａ，３１Ｂは、互いに平行な面であり、反射鏡２４Ａ，２４Ｂが、側面側開口面３１Ａ，３１Ｂ上で接している。そのため、開口面２８Ａ、２８Ｂの中心軸Ｃ１、Ｃ２に垂直な面Ｖ１、Ｖ２に対する傾斜角（以下、θとする）は互いに等しい。また、反射鏡２４Ａ、２４Ｂは、側面側開口面３１Ａ、３１Ｂに関して対称的であるため、開口面２８Ａ、２８Ｂを合わせた全体開口面２８の中心Ｑ１は、側面側開口面３１Ａ，３１Ｂ上に位置する。なお、反射鏡２４Ａ，２４Ｂが近接して配置される場合は、側面側開口面３１Ａ，３１Ｂが微小な隙間を介して平行な面となるように配置され、全体開口面２８の中心Ｑ１は、側面側開口面３１Ａと３１Ｂの中間に位置する。
【００２８】
反射鏡２４Ａ、２４Ｂの中心軸Ｃ１、Ｃ２の距離間隔は、開口面２８Ａ、２８Ｂに近づくほど短くなる。中心軸Ｃ１、Ｃ２と開口面２８Ａ、２８Ｂとの交点をＰ１、Ｐ２とすると、交点Ｐ１、Ｐ２から全体開口面の中心Ｑ１までの距離は、凹部２５Ａ、２５Ｂで交点Ｐ１、Ｐ２を通るライン上にある箇所２５Ｚ１、２５Ｚ２（図２参照）までの距離よりも短くなる。
【００２９】
このように反射鏡２４Ａ、２４Ｂの開口面２８Ａ、２８Ｂが、中心軸Ｃ１、Ｃ２の垂直な面Ｖ１、Ｖ２に対して傾斜しながら同一平面を形成しているため、反射鏡２４Ａ、２４Ｂは、ランプ２２Ａ、２２Ｂから放射された光のうち側面側開口部２９Ａ，２９Ｂ付近あるいはその周囲に向けて進行した光を反射し、照明光学系１２へ導くことが可能となる。側面側開口面３１Ａ、３１Ｂ付近においても、開口面２８Ａ、２８Ｂは、底部２５ＤＡ、２５ＤＢ側へ凹んでおらず、上述した箇所２５Ｚ１、２５Ｚ２と同じ高さをもつ。これにより、側面側開口部２９Ａ、２９Ｂに近い凹部内周面２５Ｓ１、２５Ｓ２のエリア（図２の符号Ｊ１〜Ｊ４参照）に向けて放射された光を反射することができる。
【００３０】
開口面２８Ａ、２８Ｂの中心軸Ｃ１、Ｃ２に垂直な面Ｖ１、Ｖ２に対する傾斜角度θは、１．０°〜９．０°の範囲に定められる。傾斜角度θが１°より小さいと反射効果が得られない、一方、傾斜角度θが９°を超えると、解像度低下を招く。傾斜角度θを、２．０°〜６．０°の範囲にするのが好適であり、特に、傾斜角度θを４．０°〜５．０°の範囲にするのがよい。
【００３１】
図４は、側面側開口部を形成する前の反射鏡の断面図である。図５は、側面側開口部を形成した後の反射鏡の斜視図である。図４、５を用いて、反射鏡２４Ａ、２４Ｂの形成方法について説明する。
【００３２】
楕円反射鏡である反射鏡２４０は、開口面２８０が中心軸Ｃ０の垂直面Ｖ０に対してθだけ傾斜する凹部２５０を備え、中心軸Ｃ０に関して非対称形状になっている。なお、図４の傾斜角度θは、図３の傾斜角度θと異なってもよい。反射鏡２４０の凹部２５０の一部を所定位置で切断することで、側面側開口部２９０、開口面３１０が形成される。このとき、開口面２８０に対して直角な開口面３１０を形成するすように、開口面２８０に対して垂直方向に切断する。その結果、図５に示すような反射鏡２４Ｂが形成される。反射鏡２４Ａも、反射鏡２４０を同様に開口面２８０に対して直角方向に切断することにより形成される。
【００３３】
そして２つの反射鏡の切断面を向かい合わせ、開口面３１０が平行になるように固定することにより、図２、３に示した各ランプの光を集光する反射鏡アッセンブリーを構成することができる。このような垂直カットは、従来のような微妙な角度調整を伴う切断とは違い、容易に行うことが可能であり、精度よく多くの反射鏡を組み付けて、反射鏡アッセンブリーを構成することが可能となる。
【００３４】
このように本実施形態によれば、ランプ２２Ａ、反射鏡２４Ａから構成されるランプユニット２０Ａと、ランプ２２Ｂ、反射鏡２４Ｂから構成されるランプユニット２０Ｂを備えた光源装置２０において、反射鏡２４Ａ、２４Ｂは、中心軸Ｃ１、Ｃ２に垂直な面Ｖ１、Ｖ２に対して傾斜し、側面側開口部２９Ａ，２９Ｂの側面側開口面３１Ａ、３１Ｂは互いに平行になるように形成する側面側開口部２９Ａ，２９Ｂで向かい合って平行に固定される。そして、開口部２７Ａ、２７Ｂの開口面２８Ａ、２８Ｂは、同一平面上に形成されている。
【００３５】
次に、図６を用いて、第２の実施形態について説明する。第２の実施形態では、２つの反射鏡セットを１ユニットとし、ユニットを複数組み合わせた反射鏡アッセンブリーを構成する。
【００３６】
図６は、第２の実施形態である光源装置における反射鏡アッセンブリーの概略的平面図である。
【００３７】
ここでは、図４に示す反射鏡２４０に対して相対する２つの側面開口部を形成するように開口面に対して直角方向に切断し、それらを組み合わせて千鳥配列させた反射鏡アッセンブリー２４’を構成している。１つの反射鏡に対する切断面ＣＪ１〜ＣＪ２は互いに平行になっておらず、１つおきの切断面ＣＪ１、ＣＪ３、ＣＪ５、そしてＣＪ２、ＣＪ４は互いに平行な関係にある。このような切断面を形成することで、複数のランプを一方向に沿って配置しながら、解像度低下を抑え、集光効率の高い光源配置を行うことができる。
【００３８】
次に、図７を用いて、第３の実施形態である光源装置について説明する。第３の実施形態では、４つの反射鏡によって反射鏡アッセンブリーが構成される。
【００３９】
図７は、第３の実施形態である光源装置における反射鏡アッセンブリーの概略的平面図である。ここでは、図４に示した反射鏡２４０を互いに直交する２つの面で切断することによって１つの反射鏡を成形し、切断面を互いに隣り合わせるように配置することによって、反射鏡アッセンブリー２４”が構成される。
【００４０】
次に、図８を用いて、第４の実施形態である光源装置について説明する。第４の実施形態では、反射鏡に切断面が形成されない。
【００４１】
図８は、第４の実施形態である反射鏡アッセンブリーの断面図である。
【００４２】
図８に示すように、反射鏡アッセンブリー１２４を構成する反射鏡２４Ａ’、２４Ｂ’は、切断面を形成していない。そして、開口面２８Ａ、２８Ｂから成る全開口面２８の中心Ｑ１と、反射鏡２４Ａ’、２４Ｂ’の中心軸Ｃ１、Ｃ２と開口面２８Ａ、２８Ｂとの交点Ｐ１、Ｐ２とが同一ライン上に載るように、反射鏡２４Ａ’、２４Ｂ’が向かい合って接している。開口面２８Ａ、２８Ｂは同一平面上に位置し、第１の実施形態と同様の効果を得ることができる。
【００４３】
反射鏡については、楕円反射鏡の代わりに回転対称な放物面を形成する放物面ミラーで構成することも可能であり、それ以外の凹部型反射鏡で形成することも可能である。さらに、加工時の誤差やランプ点灯中の反射鏡の熱膨張などを考慮すると、側面側開口面にわずかな隙間を設けてもよい。この場合、反射鏡の開口面は厳密には同一平面上には位置しないが、上述した迷光を低減する効果をもたせることができる。また、複数の反射鏡を組み合わせる場合、少なくとも隣り合う反射鏡において上述した構成を満たすようにしてもよい。
【００４４】
放電ランプ以外の光源を用いてもよく、凹型反射鏡に対して放射するような光源を用いればよい。また、露光装置以外の装置に対して光源装置を用いてもよい。
【符号の説明】
【００４５】
１０  露光装置
２０  光源装置
２０Ａ、２０Ｂ  ランプユニット
２２Ａ、２２Ｂ  ランプ
２４Ａ、２４Ｂ  反射鏡
２５Ａ、２５Ｂ  凹部
２７Ａ、２７Ｂ  開口部
２８Ａ、２８Ｂ  開口面
２９Ａ、２９Ｂ  側面側開口部
３１Ａ、３１Ｂ  側面側開口面
【図１】
2019109431.tif 000003
【図２】
2019109431.tif 000004
【図３】
2019109431.tif 000005
【図４】
2019109431.tif 000006
【図５】
2019109431.tif 000007
【図６】
2019109431.tif 000008
【図７】
2019109431.tif 000009
【図８】
2019109431.tif 000010